(57)【要約】
【課題】　マルチメディア表示の携帯電話の提供。
【解決手段】　折り畳み式携帯電話内にＣＰＵ、メモリ、タイマー、通信インタフェース、携帯電話キーセット、携帯電話接続ポート、表示インタフェース及び大平面ディスプレイが取り付けられ、且つ該大平面ディスプレイが折り畳み式携帯電話の上ケース外面に取り付けられ、この構造により、コンピュータ、ＰＤＡ或いはデジタルカメラの画像データを携帯電話接続ポートにより通信インタフェースを介してＣＰＵに送り、メモリに保存でき、さらにＣＰＵの制御により、大平面ディスプレイに映像を循環再生することができ、マルチメディアディスプレイ或いは自動アルバムとして使用できる。
【選択図】　　　　図３
0003100458.tif 000002
【実用新案登録請求の範囲】
【請求項１】
　折り畳み式携帯電話のケース内に取り付けられて内部回路を制御するＣＰＵと、
　該ＣＰＵに接続されてデータを保存するメモリと、
　該ＣＰＵに接続されて、計時し並びにＣＰＵに出力してＣＰＵに計時データを提供するタイマーと、
　該ＣＰＵに接続され、入力信号の伝送を行なう通信インタフェースと、
　該通信インタフェースに接続され、制御信号の入力に供される携帯電話キーセットと、　該通信インタフェースに接続され、コンピュータ、ＰＤＡ或いはデジタルカメラに接続可能で、コンピュータ、ＰＤＡ或いはデジタルカメラの画像データをＣＰＵに伝送する携帯電話接続ポートと、
　該ＣＰＵに接続され、画像データの伝送を行なう表示インタフェースと、
　該表示インタフェースに接続され、折り畳み式携帯電話の上ケース外面に取り付けられて、該ＣＰＵが該表示インタフェースを介して伝送する画像を表示する大平面ディスプレイと、
　を具えたことを特徴とする、マルチメディア表示の携帯電話。
【請求項２】
　請求項１記載のマルチメディア表示の携帯電話において、携帯電話接続ポートに無線受信器が接続され、該無線受信器がコンピュータ、ＰＤＡ或いはデジタルカメラに接続された無線発射器の送信する信号を受信できるものとされ、無線の方式でデータ伝送を行なえることを特徴とする、マルチメディア表示の携帯電話。
【請求項３】
　請求項１記載のマルチメディア表示の携帯電話において、携帯電話キーセットと大平面ディスプレイがタッチコントロール式ディスプレイに設計されたことを特徴とする、マルチメディア表示の携帯電話。
【請求項４】
　請求項１記載のマルチメディア表示の携帯電話において、折り畳み式携帯電話が非折り畳み式携帯電話に変更されたことを特徴とする、マルチメディア表示の携帯電話。
【考案の詳細な説明】
【技術分野】
【０００１】
　本考案は一種のマルチメディア表示の携帯電話に係り、特に折り畳み式携帯電話の外面に大平面ディスプレイが設けられ、並びに映像を循環再生でき、マルチメディアディスプレイ或いは自動アルバムとして使用できる、マルチメディア表示の携帯電話に関する。
【背景技術】
【０００２】
　一般に携帯電話は扁平状の長方形体とされ、そのディスプレイは直接携帯電話に取り付けられている。しかし携帯電話が携帯の便利性のために軽量化、薄型化される傾向にあって、携帯電話の体積が過小となると、その上のディスプレイも非常に小さくなり、小面積のディスプレイは観にくく、使用上の不便をもたらす。
【０００３】
　このため携帯電話は折り畳み式に改良され、携帯電話が比較的大きな面積を有するが長さを縮小できるものとされ、携帯に便利とされている。携帯電話が折り畳み式とされたことにより、携帯電話上のディスプレイは内面に折り畳まれるが、折り畳み式携帯電話を展開しなければ携帯電話のディスプレイの情報を観ることができない。これは使用者にとっては不便である。また携帯電話の上ケースの内外両面にそれぞれディスプレイを設けたものもあるが、上ケースの両面のディスプレイは一般にスクリーンが小さく、多行の文字を同時に表示しようとすれば文字が過小となる問題があり、字体を拡大すると同時に表示できる字数が少なくなりすぎ、使用者が観るのに不便となる。
【考案の開示】
【考案が解決しようとする課題】
【０００４】
　本考案は上述の周知の携帯電話の欠点を鑑み、一種のマルチメディア表示の携帯電話を提供するものである。即ち、本考案の主要な目的は、折り畳み式携帯電話の外面に大平面ディスプレイを取り付けて、並びに映像を循環再生可能とし、マルチメディアディスプレイ或いは自動アルバムとして使用できるようにすることにある。
【課題を解決するための手段】
【０００５】
　請求項１の考案は、
　折り畳み式携帯電話のケース内に取り付けられて内部回路を制御するＣＰＵと、
　該ＣＰＵに接続されてデータを保存するメモリと、
　該ＣＰＵに接続されて、計時し並びにＣＰＵに出力してＣＰＵに計時データを提供するタイマーと、
　該ＣＰＵに接続され、入力信号の伝送を行なう通信インタフェースと、
　該通信インタフェースに接続され、制御信号の入力に供される携帯電話キーセットと、　該通信インタフェースに接続され、コンピュータ、ＰＤＡ或いはデジタルカメラに接続可能で、コンピュータ、ＰＤＡ或いはデジタルカメラの画像データをＣＰＵに伝送する携帯電話接続ポートと、
　該ＣＰＵに接続され、画像データの伝送を行なう表示インタフェースと、
　該表示インタフェースに接続され、折り畳み式携帯電話の上ケース外面に取り付けられて、該ＣＰＵが該表示インタフェースを介して伝送する画像を表示する大平面ディスプレイと、
　を具えたことを特徴とする、マルチメディア表示の携帯電話としている。
　請求項２の考案は、請求項１記載のマルチメディア表示の携帯電話において、携帯電話接続ポートに無線受信器が接続され、該無線受信器がコンピュータ、ＰＤＡ或いはデジタルカメラに接続された無線発射器の送信する信号を受信できるものとされ、無線の方式でデータ伝送を行なえることを特徴とする、マルチメディア表示の携帯電話としている。
　請求項３の考案は、請求項１記載のマルチメディア表示の携帯電話において、携帯電話キーセットと大平面ディスプレイがタッチコントロール式ディスプレイに設計されたことを特徴とする、マルチメディア表示の携帯電話としている。
　請求項４の考案は、請求項１記載のマルチメディア表示の携帯電話において、折り畳み式携帯電話が非折り畳み式携帯電話に変更されたことを特徴とする、マルチメディア表示の携帯電話としている。
【考案の効果】
【０００６】
　本考案は上述の周知の携帯電話の欠点を改善した一種のマルチメディア表示の携帯電話を提供している。即ち、本考案は、折り畳み式携帯電話の外面に大平面ディスプレイを取り付けて、並びに映像を循環再生可能とし、マルチメディアディスプレイ或いは自動アルバムとして使用できるようにしている。
【考案を実施するための最良の形態】
【０００７】
　本考案のマルチメディア表示の携帯電話は、折り畳み式携帯電話内にＣＰＵ、メモリ、タイマー、通信インタフェース、携帯電話キーセット、携帯電話接続ポート、表示インタフェース及び大平面ディスプレイが取り付けられ、且つ該大平面ディスプレイが折り畳み式携帯電話の上ケース外面に取り付けられ、この構造により、コンピュータ、ＰＤＡ或いはデジタルカメラの画像データを携帯電話接続ポートにより通信インタフェースを介してＣＰＵに送り、メモリに保存でき、さらにＣＰＵの制御により、大平面ディスプレイに映像を循環再生することができ、マルチメディアディスプレイ或いは自動アルバムとして使用できる。
【実施例１】
【０００８】
　図１、２、３に示されるように、本考案によると、折り畳み式携帯電話１内に、ＣＰＵ２、メモリ３、タイマー４、通信インタフェース５、携帯電話キーセット１１、携帯電話接続ポート１２、表示インタフェース６及び大平面ディスプレイ７が取り付けられる。
【０００９】
　該ＣＰＵ２は、折り畳み式携帯電話１のケース内に取り付けられ、該ＣＰＵ２は内部回路の制御を行なう。
【００１０】
　該メモリ３は、ＣＰＵ２に接続され、該メモリ３はデータを保存する。
【００１１】
　該タイマー４は、ＣＰＵ２に接続され、計時し並びにＣＰＵ２に出力し、ＣＰＵ２に計時データを提供する。
【００１２】
　該通信インタフェース５は、ＣＰＵ２に接続され、該通信インタフェース５は入力した信号を伝送する。
【００１３】
　該携帯電話キーセット１１は、通信インタフェース５に接続され、該携帯電話キーセット１１は制御信号入力に用いられる。
【００１４】
　該携帯電話接続ポート１２は、通信インタフェース５に接続され、該携帯電話接続ポート１２がコンピュータ、ＰＤＡ或いはデジタルカメラ８に接続可能で、コンピュータ、ＰＤＡ或いはデジタルカメラ８の画像データをＣＰＵ２に伝送する。
【００１５】
　表示インタフェース６は、ＣＰＵ２に接続され、該表示インタフェース６は画像データを伝送する。
【００１６】
　大平面ディスプレイ７は、表示インタフェース６に接続され、該大平面ディスプレイ７は折り畳み式携帯電話１の上ケース１３外面に取り付けられ、該ＣＰＵ２が表示インタフェース６を介して画像を大平面ディスプレイ７に伝送し再生させる。
【００１７】
　以上の構造により、折り畳み式携帯電話１の携帯電話接続ポート１２にコンピュータ、ＰＤＡ或いはデジタルカメラ８を接続でき、さらにコンピュータ、ＰＤＡ或いはデジタルカメラ８より画像データを通信インタフェース５に伝送し、並びに該通信インタフェース５により該画像データをＣＰＵ２に送り、その後、ＣＰＵ２の制御によりメモリ３に保存できる。プログラムが運転する時、ＣＰＵ２はタイマー４の時間を読み取り、並びにプログラム設定により、設定された時間にメモリ３中の画像データを読み取り、並びに表示インタフェース６に送り、該大平面ディスプレイ７に画像データを表示させ、表示時間が設定時間に達した後に、ＣＰＵ２が新たに別の画像データを読み取り、こうして不断に表示画像を交換し、循環再生し、マルチメディアディスプレイ或いは自動アルバムとしての使用を可能とする。
【００１８】
　コンピュータ、ＰＤＡ或いはデジタルカメラ８がイメージデータ或いは音声データを入力する時は、必ずインストールプログラムにより制御し、インストールプログラムの運転フローは図４に示されるとおりである。まず、固定時刻或いは特定時刻に表示したいマルチメディアイメージ及び音声をメモリに入力して固定時刻或いは特定時刻放映表を作成する。その後、メモリ中の循環表示させたいマルチメディアイメージ及び音声のマルチメディア再生の時間表を設定する。こうして循環再生プログラムにより再生を行なう。
【００１９】
　該循環再生プログラムの運転フローは図５に示されるとおりであり、起動後に手動方式で循環再生のマルチメディアイメージファイルより再生したいイメージ及び音声を選び、並びにイメージ及び音声を再生し、且つ計時開始し、その後、判断式により現在時刻が固定或いは特定時刻再生表中の再生時間点であるか否かを検査し、もし再生の時間点であれば、その固定或いは特定時間に再生が必要なマルチメディアイメージ及び音声を再生し、再生の時間点でなければ、循環再生表に定められた時間により時刻に到達したかを検査し、到達していなければ、現在時刻の判断式に戻り、到達していれば、最後のマルチメディアに至ったかを更に判断し、もし至っていなければ循環再生表により次のイメージ及び音声を再生し、並びに計時を開始し、至っていれば、循環再生表が新たに第１段の再生が必要なマルチメディアイメージ及び音声の再生を開始し、並びに計時開始し、こうして重複循環方式でイメージ及び音声の再生を行なう。
【００２０】
　また、停止プログラムは図６に示されるようであり、起動後に、まず停止信号があるかを判断し、もしあれば停止の動作を行ない、なければイメージ変更の判断式を実行し、もし判断式の結果がイエスであれば、イメージ変更のプログラムにジャンプし、ノーであれば停止信号があるかの判断式に戻る。
【００２１】
　イメージ変更プログラムの動作フローは図７のようであり、開始後、先ず循環再生プログラムを停止し、並びに手動でページをめくり必要なイメージ画面を開き、その後、循環再生プログラムを実行するかを再度判断する。もし実行するのであれば、選択したイメージを開始点として循環再生プログラムにジャンプして戻り、並びにイメージ変更プログラムを終了する。もし再生プログラムを実行せず、このイメージと音声を重複再生しないのであれば、更に循環再生プログラムを起動するか否かを更に判断し、もし起動しないのであればこのイメージと音声を重複して再生する動作に戻り、もし起動するのであれば、選択したイメージを開始点として循環再生プログラムの動作にジャンプする。
【００２２】
　さらに、折り畳み式携帯電話１の上ケース１３の外面には大面積サイズの大平面ディスプレイ７が取り付けられ、折り畳み式携帯電話１の大平面ディスプレイ７が異なる画像を循環再生することにより、目新しさにより消費者を吸引する。
【００２３】
　且つ該大平面ディスプレイ７は折り畳み式携帯電話１の上ケース１３外部に取り付けられ、これにより携帯電話を開かなくとも電話情報をチェックでき、使用者の操作に便利である。
【００２４】
　また、大平面ディスプレイ７は比較的大きな表示面を具えているため、大きな字体を表示でき、且つ多種類の情報及び文字を同時に表示でき、使用者が観たり使用するのに便利で、ゆえに良好な使用効果を有する。
【００２５】
　図３に示されるように、携帯電話接続ポート１２には無線受信器１４ａを接続でき、且つ該無線受信器１４ａがコンピュータ、ＰＤＡ或いはデジタルカメラ８に接続された無線発射器１４ｂの信号を受信でき、これにより無線の方式でデータ伝送が行なえる。これは本考案の別の実施例であり参考までに提示した。
【００２６】
　図８に示される折り畳み式携帯電話１は必要により非折り畳み式携帯電話１ａとされ、同様に上述の効果を達成できる。これは本考案のまた別の実施例であり、参考までに提示した。
【００２７】
　図９に示される携帯電話キーセット１１及び大平面ディスプレイ７はタッチコントロール式ディスプレイ９に設計され、同様に上述の効果を達成できる。これも本考案の別の実施例であり、参考までに提示した。
　総合すると、本考案に記載の構造は従来にはないものであり、且つ確実に上述の効果を達成し、実用新案登録の要件を具備している。
【図面の簡単な説明】
【００２８】
【図１】本考案の斜視図である。
【図２】本考案の展開時の斜視図である。
【図３】本考案の電気回路ブロック図である。
【図４】本考案に使用されるインストールプログラムフローチャートである。
【図５】本考案に使用される循環再生プログラムフローチャートである。
【図６】本考案に使用される停止プログラムフローチャートである。
【図７】本考案に使用されるイメージ変更プログラムフローチャートである。
【図８】本考案の別の実施外観態様表示図である。
【図９】本考案のさらに別の実施外観態様表示図である。
【符号の説明】
【００２９】
１　折り畳み式携帯電話　　　　　　　　　　　１ａ　非折り畳み式携帯電話
１１　携帯電話キーセット　　　　　　　　　　１２　携帯電話接続ポート
１３　上ケース　　　　　　　　　　　　　　　１４ａ　無線受信器
１４ｂ　無線発射器　　　　　　　　　　　　　２　ＣＰＵ
３　メモリ　　　　　　　　　　　　　　　　　４　タイマー
５　通信インタフェース　　　　　　　　　　　６　表示インタフェース
７　大平面ディスプレイ　　　　　　　　　　９　タッチコントロール式ディスプレイ
８　コンピュータ、ＰＤＡ或いはデジタルカメラ
【図１】
0003100458.tif 000003
【図２】
0003100458.tif 000004
【図３】
0003100458.tif 000005
【図４】
0003100458.tif 000006
【図５】
0003100458.tif 000007
【図６】
0003100458.tif 000008
【図７】
0003100458.tif 000009
【図８】
0003100458.tif 000010
【図９】
0003100458.tif 000011